(57)【要約】【課題】  ブラシとソフトブレードとをヘッドに備えさせることにより、その利便性の向上を図ると共に、例えば、自動車のウインドガラスや細かな凹凸のある箇所等の雪や氷雪の除去に好適な清掃具を提供する。【解決手段】  軟質合成樹脂材料又はゴム材料からなる板状のソフトブレード２０が設けられたヘッド１０と、前記ヘッド１０に連結される把持体３０とを備え、前記ヘッド１０には、前記ソフトブレード２０の長さ方向の側部にブラシ２１が設けられて構成されている。【選択図】図１
0003228273.tif 000002
【実用新案登録請求の範囲】
【請求項１】
軟質合成樹脂材料又はゴム材料からなる板状のソフトブレードが設けられたヘッドと、前記ヘッドに連結される把持体とを備え、
前記ヘッドには、前記ソフトブレードの長さ方向の側部にブラシが設けられてなることを特徴する清掃具。
【請求項２】
前記ブラシは、前記ソフトブレードの両側部に設けられている請求項１に記載の清掃具。
【請求項３】
前記ブラシの先端部が、前記ソフトブレードの先端部よりも下方に突出するように構成されている請求項１又は２に記載の清掃具。
【考案の詳細な説明】
【技術分野】
【０００１】
本考案は、特に、自動車に積もった雪や氷雪、特に、自動車のウインドガラスや細かな凹凸のある箇所の雪や氷雪の除去に好適な清掃具に関するものである。
【背景技術】
【０００２】
従来、自動車に着氷した氷雪を除去する清掃具としては、例えば、出願人が提案した実用新案登録第３１４６１９８号公報に記載の清掃具が公知である。前記公報記載の清掃具は、清掃部材が柄の先端部に取り付けられた自動車用の清掃具において、前記清掃部材における清掃部の先端部が、前記柄の長さ方向に対して所定角度傾斜して形成されると共に、基端部にスクレイパー部が設けられていることを特徴としており、例えばワンボックスタイプの自動車の高いルーフに積もった雪やルーフの汚れを容易に清掃することが可能である。
【先行技術文献】
【特許文献】
【０００３】
【特許文献１】実用新案登録第３１４６１９８号公報  第1頁  図１
【考案の概要】
【考案が解決しようとする課題】
【０００４】
しかしながら、前記公報記載の自動車用の清掃具は、先端部にブラシ部を設けると共に、基端部にスクレイパー部を設けているために、それぞれの機能を発揮させるには、先端部と基端部とが逆になるように柄を持ち替えて使用する必要があった。
【０００５】
本考案は、かかる点に鑑みてなされたものであり、その目的とするところは、ブラシと積もった雪や氷雪を掻き取るためのソフトブレードとをヘッドに備えさせることにより、その利便性の向上を図ると共に、特に、自動車のウインドガラスや細かな凹凸のある箇所等の雪や氷雪の除去に好適な清掃具を提供することを目的とする。
【課題を解決するための手段】
【０００６】
請求項１に記載の清掃具は、軟質合成樹脂材料又はゴム材料からなる板状のソフトブレードが設けられたヘッドと、前記ヘッドに連結される把持体とを備え、前記ヘッドには、前記ソフトブレードの長さ方向の側部にブラシが設けられてなることを特徴する。
【０００７】
請求項１に記載の清掃具において、ウインドガラスや車体に付着した雪や氷雪等を除去したい場合には、作業者が把持体を把持しつつ、  前記ヘッドに設けられた前記ソフトブレード及び前記ブラシの先端部を前記ウインドガラス等に押し当てるようにして動かし、付着した雪や氷雪等を掻き取ることができる。さらに、これにより前記ウインドガラスの下部部分等に落ち積もった雪等は、適宜、前記ブラシにより除去することができる。また、細かな凹凸のある車体の箇所の雪や氷雪等の除去する場合も同様に、前記ブラシを使用して除去することができる。
【０００８】
請求項２に記載の清掃具は、請求項１に記載の清掃具において、前記ブラシが前記ソフトブレードの長さ方向における両側部に設けられていることを特徴する。
【０００９】
請求項２に記載の清掃具にあっては、前記ヘッドには、前記ソフトブレードと、これと長さ方向の両側部にブラシが設けられているので、主として雪の掻き取りを行う前記ソフトブレードと、主として雪の払い落とす前記ブラシとが、それぞれの機能を同時に発揮させつつ、ウインドガラス等を清掃することができる。
【００１０】
請求項３に記載の清掃具は、請求項１又は２に記載の清掃具において、前記ブラシの先端部が、前記ソフトブレードの先端部よりも下方に突出するように構成されていることを特徴する。
【００１１】
請求項３に記載の清掃具にあっては、前記ブラシの先端部が前記ソフトブレードの先端部よりも下方に突出するように構成されているため、雪や氷雪等に前記ソフトブレードを押し当てた状態において、前記ブラシは撓んで雪等に押圧状態で接触することとなり、この状態でウインドガラス等に付着した雪等が除去されることになる。
【考案の効果】
【００１２】
請求項１に記載の清掃具によれば、前記ヘッドには、前記ソフトブレードと、これと長さ方向の両側部に前記ブラシとが設けられているために、主として雪の掻き取りを行う前記ソフトブレードと、主として雪の払い落とす前記ブラシとが、それぞれの機能を同時に発揮してウインドガラスや車体を適切に、かつ、効率良く清掃することができる。
【００１３】
また、前記ソフトブレードによる雪等の掻き取り後において、把持体を逆向きに持ち替えることなく、そのままの状態で前記ブラシにより車体に付着残存した雪等を除去することができるために、その利便性が向上し、よって作業者による作業負担を軽減することが可能になる。さらに、細かな凹凸のある箇所の雪や氷雪の除去に対しては、前記ブラシにより除去することができる。
【００１４】
請求項２に記載の清掃具によれば、前記ブラシは前記ソフトブレードの両側部に設けられているために、バランス良く一連の清掃作業が行えることになり、より一層作業効率が向上することになる。
【００１５】
請求項３に記載の清掃具によれば、前記ブラシの先端部は、前記ソフトブレードの先端部よりも下方に突出するように構成されているため、雪等に前記ソフトブレードを押し当てた状態において、ブラシは撓んで雪等に押圧状態で接触することとなり、よってその除去効果が向上することになる。
【００１６】
本考案に係る清掃具は、全体の構成が簡易であるために、その製作が容易に、かつ安価に行えるという製作上の利点も有している。
【図面の簡単な説明】
【００１７】
【図１】本考案に係る清掃具の一実施形態を示し、（ａ）は伸長状態にある清掃具の斜視図であり、（ｂ）は収縮状態にある清掃具の斜視図である。
【図２】（ａ）は伸長状態にある清掃具の平面図であり、（ｂ）は収縮状態にある清掃具の平面図ある。
【図３】清掃具の部分拡大正面図である。
【図４】同部分拡大斜視図である。
【図５】（ａ）は清掃具の部分拡大側面図であり、（ｂ）は同部分拡大断面図である。
【図６】ヘッドの底面図である。
【図７】清掃具の使用状態を示し、（ａ）は斜視図であり、（ｂ）は部分拡大斜視図ある。
【図８】清掃具の他の使用状態を示し、（ａ）は斜視図であり、（ｂ）は部分拡大斜視図ある。
【図９】清掃具の他の使用状態を示し、（ａ）は斜視図であり、（ｂ）は部分拡大斜視図ある。
【考案を実施するための最良の形態】
【００１８】
以下、本考案に係る清掃具の一実施形態について、図面に従って説明する。
【００１９】
図１は、本実施形態に係る清掃具を示す斜視図である。図２は、同平面図である。図３は、同部分拡大正面図である。図４は、同部分拡大斜視図である。図５（ａ）は、清掃具の部分拡大側面図であり、同図（ｂ）は、同部分拡大断面図である。図６は、ヘッドの底面図である。図７、図８及び図９は、清掃具の使用状態を示す斜視図である。
【００２０】
本実施形態に係る清掃具は、図１乃至図４に示すように、先端部に設けられるヘッド１０と、前記ヘッド１０の上面略中央部に回転自在に連結される合成樹脂製の把持体３０とを備えている。
【００２１】
前記ヘッド１０の上面略中央部には、筒状部１１が上向きに設けられている。前記筒状体１１の両側部には補強用のリブ１２、１２が長さ方向に設けられている。前記ヘッド１０の下面略中央位置には、図５及び図６に示すように、前後方向に所定間隔を有して一対の固定片１３、１３が長さ方向に設けられている。前記固定片１３、１３は、先端部側程薄肉状となるように形成されている。前記固定片１３、１３間には、ＥＶＡ（エチレンビニルアセテートコポリマー）合成樹脂や軟質ゴム素材等の軟質性素材で形成される薄板状のソフトブレード２０が挟着され固定されている。前記ソフトブレード２０は、軟質性素材で形成されているため、前記ソフトブレード２０の長手方向と直交する掃き取り動作に対して強度を確保するため、図３に詳細に示すように、前記固定片１３，１３の高さ１３ｈを、挟着され固定される前記ソフトブレード２０の高さ２０ｈの１／２以上の高さとしている。
【００２２】
前記ヘッド１０の下面にはブラシ２１、２１が設けられており、前記ブラシ２１、２１は前記ソフトブレード２０と長さ方向における両側部に設けられている。前記ブラシ２１、２１は、図３に示すように、正面視において先端部側程外向きに傾斜するように構成されている。また、前記ブラシ２１、２１の先端部は、図５のように、前記ソフトブレード２０の先端部よりも寸法ｈだけ下方に突出するように構成されている。前記ソフトブレード２０の両側部は、図６に示すように、前記ブラシ２１内に進出するように設けられている。すなわち、正面視において、前記ソフトブレード２０の両側部と前記ブラシ２１の一部とが重なり合うように構成されている。
【００２３】
前記把持体３０は、図１及び図２に示すように、前記ヘッド１０に連結するための連結部材３１と、先端部が前記連結部材３１に取り付けられる円筒状の把持体本体３２と、前記把持体本体３２の基端部に取り付けられるスクレイパー３３とを備えている。前記把持体本体３２は略円弧状に湾曲形成されており、このように構成されることにより、例えば、ミニバンのように車高のある自動車のルーフ上に積もった雪等を無理なく容易に除去することができて利便性を高めることができる。
【００２４】
前記スクレイパー３３は、先端部で車体等に強固に付着した氷雪等を削り取るためのものであり、その先端部は前記把持体本体３２のほぼ延長線状に先端部にゆくほど扇形に広がる第１スクレイパー３３ａと、前記把持体本体３２に対して下方に向けて１０度程度角度をつけて形成される第２スクレイパー３３ｂとで構成されている。前記スクレイパー３３は、例えば、ＡＢＳ合成樹脂等の比較的硬質な素材によって成型される。
【００２５】
また、前記把持体本体３２は、外筒３４に内筒３５が伸縮自在に連結される二重構造からなっており、内筒３５の先端部に前記連結部材３１が連結され、前記外筒３４の基端部に前記スクレイパー３３が取り付けられる。なお、前記把持体本体３２は、前記内筒３５を前記外筒３４の所定位置に固定するための伸縮及びストッパー部（係止ボタン３６ａ及びそれに係合する係合孔３５ａ、３５ｂ、３５ｃ）を備えている。さらに、前記把持体本体３２の両端部には、円筒状のゴム製滑り止めグリップ３６、３６を外嵌装着している。
【００２６】
前記連結部材３１の先端には筒状の連結部３７が設けられており、図５（ｂ）に示すように、前記連結部３７を前記ヘッド１０の筒状部１１上に連結した状態で固定ピン３８を圧入して固定される。作業者が前記ヘッド１０と把持体３０とを把持しつつ回転させることにより、前記連結部材３１に対して直角の位置（図１、図２、図４及び図５）及び前記前記連結部材３１に対して直線上の位置（図２の破線に示す位置及び図３）において固定できるように形成されており、一連の洗浄作業の便に供することができる。
【００２７】
本実施形態に係る清掃具は、以上のような構成からなるが、次にこれを使用して自動車のウインドガラスや車体を清掃する場合について具体的に説明する。
【００２８】
先ず、必要に応じて、前記把持体本体３２の前記内筒３５を前記外筒３４から引き出した状態でストッパー部を操作して、両者を固定して、前記把持体本体３２が所望の長さになるように調整する。そして、例えば、ウインドガラスＷに付着した雪等を除去したい場合には、図７、図８及び図９に示すように、作業者が前記把持体本体３２の前記グリップ３６、３６を把持しつつ、前記ヘッド１０の前記ソフトブレード２０及び前記ブラシ２１、２１の先端部を前記ウインドガラスＷに押し当てるようにして動かし、付着した雪や氷雪等を掻き落とす。なお、図７、図８及び図９に示すように、一連の清掃作業の中で、前記ウインドガラスＷとその下部側に位置する車体Ｂとの境界部分に、前記ソフトブレード２０の一側部を配するようにしつつ、前記ソフトブレード２０で掻き取られた雪等を下部側に位置する前記ブラシ２１により除去するように操作するのである。また、前記ウインドガラスＷの下部部分等に残存した雪等は、必要に応じて適宜、前記ブラシ２１、２１により除去することができる。
【００２９】
このような一連の清掃作業において、前記ヘッド１０には、前記ソフトブレード２０と、これと長さ方向に並ぶようにして、その両側部に前記ブラシ２１、２１とが設けられているために、主として雪の掻き取りを行う前記ソフトブレード２０と、主として雪の払い落とす前記ブラシ２１、２１とが、それぞれの機能を同時に発揮して、前記ウインドガラスＷ等が適切に清掃するこができる。
【００３０】
また、前記ソフトブレード２０による雪の掻き取り後において、前記把持体３０を逆向きに持ち替えることなく、そのままの状態で前記ブラシ２１、２１により車体に付着残存した雪等を除去することができるため、その利便性が向上し、よって作業者による作業負担を軽減することが可能になる。この場合において、前記ブラシ２１、２１は前記ソフトブレード２０の両側部にそれぞれ設けられているために、バランス良く一連の清掃作業が行えるという利点があり、よって作業効率の向上を図ることができる。
【００３１】
さらに、細かな凹凸のある箇所の雪や氷雪の除去に対しては、前記ブラシ２１、２１により柔軟に対応することができる。
【００３２】
また、前記ブラシ２１、２１の先端部は、図５のように、前記ソフトブレード２０の先端部よりも寸法ｈだけ下方に突出するように構成されているために、雪や氷雪等に前記ソフトブレード２０を押し当てた状態において、前記ブラシ２１、２１が撓んで雪等に押圧状態で接触することとなり、よってその除去効果が大幅に向上することになる。
【００３３】
さらに、前記ソフトブレード２０の両側部は、図６に示すように、前記ブラシ２１内に進出するように設けられているために、すなわち、正面視において、前記ソフトブレード２０の両側部と前記ブラシ２１の一部とが重なり合うように構成されているために、この両者が連携して前記ソフトブレード２０により掻き取られた雪等の一部を前記ブラシ２１、２１により下方に確実に除去することができる。
【００３４】
なお、前記車体Ｂ等に氷雪等が強固に付着して、上述したような前記ヘッド１０による除去作業では対処できないような場合には、前記スクレイパー３３を利用して、その先端部で付着した氷雪等を削り取ればよい。こにとき、前記第１スクレイパー３３ａの先端部で氷雪等を突き崩して取り去り、また、下方に向けて角度のついた前記第２スクレイパー３３ｂで、前記氷雪等を削り取り、前記ブラシ２１により、前記ウインドガラスＷや前記車体Ｂの間に落ちた雪や、前記ウインドガラスＷや前記車体Ｂの間に積もった雪等を掃き出すことができるのである。
【００３５】
上述したように、本実施形態に係る清掃具は、全体の構成が簡易であるために、その製作も容易に、かつ安価に行うことができる。
【００３６】
なお、上記実施形態においては、前記ブラシ２１、２１を前記ソフトブレード２０の両側部にそれぞれ設けているが、本考案はこれに限定されるものではなく、前記ソフトブレード２０の一方の側部にのみ前記ブラシ２１を設けるようにすることもできる。
【００３７】
また、上記実施形態では、前記ブラシ２１、２１の先端部を前記ソフトブレード２０の先端部よりも下方に突出するように構成しているが、本考案はこれに限られず、例えば、前記ブラシ２１、２１の先端部と前記ソフトブレード２０の先端部とが面一となるように構成しても構わない。
【００３８】
その他、前記ヘッド１０や前記把持体３０の形状や材質等の具体的な構成も、本考案の意図する範囲内において任意に設計変更自在である。
【符号の説明】
【００３９】
１０    ヘッド
２０    ソフトブレード
２１    ブラシ
３０    把持体
【図１】
0003228273.tif 000003
【図２】
0003228273.tif 000004
【図３】
0003228273.tif 000005
【図４】
0003228273.tif 000006
【図５】
0003228273.tif 000007
【図６】
0003228273.tif 000008
【図７】
0003228273.tif 000009
【図８】
0003228273.tif 000010
【図９】
0003228273.tif 000011